(57)【要約】      （修正有）【課題】生体情報（例えば心拍数）と、自装置の内部で計測された内部計測情報（例えば現在時刻やラップタイムやスプリットタイム等）とを表示する電子機器（例えばランニングウォッチ）において、表示切替操作を行うユーザの手間を低減させることのできる電子機器、表示制御技術およびプログラムを提供する。【解決手段】受信部２１０が生体信号を取得しているか否かに基づいて、表示制御部２３０が内部計測情報と生体信号の示す生体情報とのいずれを表示部２４０に表示させるかの切替を行う。これによりユーザはチェストストラップを装着するか否か等にて、ランニングウォッチ２００に生体信号の示す生体情報を表示させるか否かを切り替えることができる。【選択図】図２
2014100465.tif 000002
【特許請求の範囲】
【請求項１】
情報を表示する表示部と、
生体情報を測定する測定装置からの、生体情報の測定結果を示す生体信号を取得する生体信号取得部と、
自装置の内部で計測された内部計測情報を出力する内部計測部と、
前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御部と、
を具備することを特徴とする電子機器。
【請求項２】
前記生体信号取得部が前記生体信号を取得しているか否かを判定する判定部を具備し、
前記表示制御部は、前記判定部によって前記判定された結果に基づいて、前記内部計測部が出力した内部計測情報と、前記生体信号の示す前記生体情報に関する情報とのいずれを前記表示部に表示させるかの切替を行う、
ことを特徴とする請求項１に記載の電子機器。
【請求項３】
前記内部計測情報は、時刻、時間、歩数、単位時間当たりの歩数、歩行または走行時の加速度、歩行または走行した距離、歩行または走行によって消費した消費エネルギーの少なくとも一部を含む、
ことを特徴とする請求項２に記載の電子機器。
【請求項４】
前記判定部は、前記生体信号を所定の期間内に受信したか否かに基づいて、前記判定を行う、
ことを特徴とする請求項２又は３に記載の電子機器。
【請求項５】
前記判定部は、前記生体信号が前記所定の期間内に少なくとも一回取得した場合、または、前記生体信号が前記所定の期間内において所定の周期で継続して取得した場合、前記生体信号を取得していると判定する
ことを特徴とする請求項４に記載の電子機器。
【請求項６】
前記判定部は、前記生体信号取得部が取得した前記生体信号の示す前記生体情報に関する情報が、所定の閾値の範囲内か否かを判定し、
前記表示制御部は、前記判定部による前記所定の閾値の範囲内か否かの判定の結果に基づいて、前記内部計測部が出力した内部計測情報と、前記生体信号の示す前記生体情報に関する情報とのいずれを前記表示部に表示させるかの切替を行う、
ことを特徴とする請求項２から５のうちいずれか一項に記載の電子機器。
【請求項７】
前記生体信号取得部を動作させる設定と停止させる設定との切替を行う信号取得制御部を具備することを特徴とする請求項１から６のうちいずれか一項に記載の電子機器。
【請求項８】
前記表示制御部は、当該生体信号取得部を動作させる設定か停止させる設定かの表示を前記表示部に行わせることを特徴とする請求項７に記載の電子機器。
【請求項９】
所定のモードへの遷移が行われると前記生体信号取得部の動作を開始させる生体信号取得部を具備することを特徴とする請求項７又は８に記載の電子機器。
【請求項１０】
前記表示制御部は、前記判定部が前記生体信号を取得していると判定した場合には、前記生体信号の示す前記生体情報に関する情報を表示する複数の表示パターン間で前記表示部の表示の切替を行い、前記判定部が前記生体信号を取得していないと判定した場合には、前記内部計測部が出力した内部計測情報に関する情報を表示する複数の表示パターン間で前記表示部の表示の切替を行うことを特徴とする請求項２から６のうちいずれか一項に記載の電子機器。
【請求項１１】
前記表示制御部は、前記判定部が前記生体信号を取得していると判定した場合には前記生体信号の示す前記生体情報に関する情報を表示する複数の表示パターン間で前記表示部の表示の切替を直ちに行うか、又は、前記判定部が前記生体信号を取得していると判定し、且つさらに前記生体信号の示す前記生体情報に関する情報が所定の閾値の範囲内に含まれると判定した場合には前記生体信号の示す前記生体情報に関する情報を表示する複数の表示パターン間で前記表示部の表示の切替を直ちに行う、
ことを特徴とする請求項１０に記載の電子機器。
【請求項１２】
前記表示制御部は、前記判定部が前記生体信号を取得していると判定した状態から、前記生体信号を取得していないと判定した状態に変わった場合、所定の時間待機した後、前記内部計測部が測定した前記内部計測情報を表示する複数の表示パターンの間で前記表示部の表示の切替を行うことを特徴とする請求項２から６のうちいずれか一項に記載の電子機器。
【請求項１３】
前記表示制御部は、モード毎に異なる表示パターンにて前記表示部に情報の表示を行わせ、所定のモードにおいて前記切替を行うことを特徴とする請求項１から１２のうちいずれか一項に記載の電子機器。
【請求項１４】
情報を表示する表示部と、
生体情報を測定する測定装置からの、生体情報の測定結果を示す生体信号を取得する生体信号取得部と、
自装置の内部で計測された内部計測情報を出力する内部計測部と、
を具備する電子機器の表示制御方法であって、
前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御ステップと、
を具備することを特徴とする表示制御方法。
【請求項１５】
情報を表示する表示部と、
生体情報を測定する測定装置からの、生体情報の測定結果を示す生体信号を取得する生体信号取得部と、
自装置の内部で計測された内部計測情報を出力する内部計測部と、
を具備する電子機器を制御するコンピュータに、
前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御ステップ、
を実行させるためのプログラム。
【発明の詳細な説明】
【技術分野】
【０００１】
本発明は、電子機器、表示制御方法およびプログラムに関する。
【背景技術】
【０００２】
腕時計など表示画面が限られている電子機器において、ユーザの所望する情報を表示するために表示項目を切り替えるものがある。例えば、心拍計付きのランニングウォッチでは、ユーザのボタン操作に応じて心拍数の表示の有無を切り替えるものがある。
【０００３】
また、表示の切替に関連して、特許文献１に記載の方法は、モード選択モードと、モード表示体を有し且つこれと協働する視認可能モードと、モード表示体を有し且つこれと協働するとともに表示可能または表示禁止に選択される少なくとも１個の隠れたモードとを備えたマルチモード型電子装置のモード機能を表示可能／表示禁止とする方法であって、上記モード選択モードにおいて、上記視認可能モードおよび隠れたモード中を循環させて、対応する上記視認可能モードはそのモード表示体を表示させるとともに、上記隠れたモードにおいては、当該隠れたモードの上記モード表示体におけるデータが非ゼロであるか、最近の所定時間においてアップデートされたか、あるいは変更されているかの条件を判断し、いずれか１個の条件が満たされている場合に、当該隠れたモードを利用可能にしてそのモード表示体を上記循環するステップ中に選択可能に表示させるとともに、上記条件のいずれもが満たされていない場合には、視認禁止状態を維持して当該隠れたモードをスキップさせる。
これにより、マルチモード（多機能）型電子機器の、改良されたプログラミングとモード選択方法が提供でき、利用者が自分独自のカスタム仕様化をすることができて電子機器、特に時計の機能を更に具体的に形成することが可能となる、とされている。
【０００４】
また、特許文献２に記載の携帯用脈波計測装置では、時間の計測を開始した以降、脈拍数が所定の指定範囲に到達するまでの第１の計測期間と、脈拍数が所定の指定範囲に到達した以降の第２の計測期間との間では、ドット表示領域における脈拍数の時間的変化の表示形態が切り換わる。
これにより、たとえばマラソン中の脈拍数の監視用に用いたとき、ランナーは、表示装置のドット表示領域を時折覗き込めば、表示がいずれの形態になっているかによって、ドット表示領域が小さくても脈拍数がどの位のレベルにあるかを簡単に把握できる。
【０００５】
また、特許文献３に記載の脈波計測装置では、外部操作に基づいて脈波情報の計測モードに切り換わった以降、時間の計測を開始するようにとの外部操作が行われるまでは、表示装置に脈波信号の原波形をグラフィック表示する。
これにより、脈波情報の計測を開始する前に、脈波信号の原波形の波形やレベルを確認すれば、脈波信号を検出するための素子の装着状態の良否を詳しく判別できる。
【先行技術文献】
【特許文献】
【０００６】
【特許文献１】特許第０４３５４３９５号公報
【特許文献２】特許第０３４６８３９０号公報
【特許文献３】特許第０３４９２０４４号公報
【発明の概要】
【発明が解決しようとする課題】
【０００７】
ユーザが電子機器を使用する目的や状況に応じて、ユーザの見たい情報が異なる場合がある。例えば、ユーザがランニングウォッチを使用する場合でも、心拍計として使用する場合は心拍数を見たいのに対し、ストップウォッチとして使用する場合は、ラップタイムやスプリットタイムなどを見たいことが考えられる。
ここで、見たい情報に応じて表示を切り替える操作は、ユーザにとって手間である。例えば、ランニングなど運動の開始時や運動中に、ラップタイム、スプリットタイムあるいは心拍数など所望の情報を表示させるためにボタンを押して表示切替を行うことは、ユーザにとって手間である。
【０００８】
これに対し、特許文献１に記載の方法は、表示モードを順次切り替える際に、不使用の機能に対応する表示モードの表示をスキップするものであり、表示切替のためのユーザ操作は必要である。
また、特許文献２に記載の携帯用脈波計測装置や、特許文献３に記載の脈波計測装置において、表示切替操作を行うユーザの手間を低減させることができれば、さらに利便性が高まる。
【０００９】
本発明は、このような事情に鑑みてなされたもので、その目的は、表示切替操作を行うユーザの手間を低減させることのできる電子機器、表示制御方法およびプログラムを提供することにある。
【課題を解決するための手段】
【００１０】
この発明は上述した課題を解決するためになされたもので、本発明の一態様による電子機器は、情報を表示する表示部と、生体情報を測定する測定装置からの、生体情報の測定結果を示す生体信号を取得する生体信号取得部と、自装置の内部で計測された内部計測情報を出力する内部計測部と、前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御部と、を具備することを特徴とする。
【００１１】
また、本発明の一態様による電子機器は、上述の電子機器であって、前記生体信号取得部が前記生体信号を取得しているか否かを判定する判定部を具備し、前記表示制御部は、前記判定部によって前記判定された結果に基づいて、前記内部計測部が出力した内部計測情報と、前記生体信号の示す前記生体情報に関する情報とのいずれを前記表示部に表示させるかの切替を行う、ことを特徴とする。
【００１２】
また、本発明の一態様による電子機器は、上述の電子機器であって、前記内部計測情報は、時刻、時間、歩数、走行時の加速度、歩数に基づく距離、歩数に基づく消費カロリーの少なくとも一部を含む、ことを特徴とする。
【００１３】
また、本発明の一態様による電子機器は、上述の電子機器であって、前記判定部は、前記生体信号を所定の期間内に受信したか否かに基づいて、前記判定を行う、ことを特徴とする。
【００１４】
また、本発明の一態様による電子機器は、上述の電子機器であって、前記判定部は、前記生体信号取得部が取得した生体信号が、所定の閾値の範囲内か否かを判定し、前記表示制御部は、前記判定部による所定の閾値の範囲内か否かの判定の結果に基づいて、前記内部計測部が出力した内部計測情報と、前記生体信号の示す前記生体情報に関する情報とのいずれを前記表示部に表示させるかの切替を行う、ことを特徴とする。
【００１５】
また、本発明の一態様による電子機器は、上述の電子機器であって、前記生体信号取得部を動作させる設定と停止させる設定との切替を行う信号取得制御部を具備することを特徴とする。
【００１６】
また、本発明の一態様による電子機器は、上述の電子機器であって、前記表示制御部は、当該生体信号取得部を動作させる設定か停止させる設定かの表示を前記表示部に行わせることを特徴とする。
【００１７】
また、本発明の一態様による電子機器は、上述の電子機器であって、所定のモードへの遷移が行われると前記生体信号取得部の動作を開始させる生体信号取得部を具備することを特徴とする。
【００１８】
また、本発明の一態様による電子機器は、上述の電子機器であって、前記表示制御部は、前記生体信号取得部が前記生体信号を取得している場合には、前記生体信号の示す前記生体情報に関する情報を表示する複数の表示パターン間で前記表示部の表示の切替を行い、前記生体信号取得部が前記生体信号を取得していない場合には、前記内部計測部が出力した内部計測情報に関する情報を表示する複数の表示パターン間で前記表示部の表示の切替を行うことを特徴とする。
【００１９】
また、本発明の一態様による電子機器は、上述の電子機器であって、前記表示制御部は、前記生体信号取得部が前記生体信号を取得していると判定した状態から、前記生体信号を取得していないと判定した状態になった場合、所定の時間待機した後、前記内部計測部が測定した前記内部計測情報を表示する複数の表示パターンの間で前記表示部の表示の切替を行うことを特徴とする。
【００２０】
また、本発明の一態様による電子機器は、上述の電子機器であって、前記表示制御部は、モード毎に異なる表示パターンにて前記表示部に情報の表示を行わせ、所定のモードにおいて前記切替を行うことを特徴とする。
【００２１】
また、本発明の一態様による表示制御方法は、情報を表示する表示部と、生体情報を測定する測定装置からの、生体情報の測定結果を示す生体信号を取得する生体信号取得部と、自装置の内部で計測された内部計測情報を出力する内部計測部と、を具備する電子機器の表示制御方法であって、前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御ステップと、を具備することを特徴とする。
【００２２】
また、本発明の一態様によるプログラムは、情報を表示する表示部と、生体情報を測定する測定装置からの、生体情報の測定結果を示す生体信号を取得する生体信号取得部と、自装置の内部で計測された内部計測情報を出力する内部計測部と、を具備する電子機器を制御するコンピュータに、前記生体信号取得部が前記生体信号を取得しているか否かを判定し、前記判定の結果に基づいて、前記内部計測部が出力した内部計測情報と、前記生体信号の示す前記生体情報に関する情報とのいずれを前記表示部に表示させるかの切替を行う表示制御ステップ、を実行させるためのプログラムである。
【発明の効果】
【００２３】
本発明によれば、表示切替操作を行うユーザの手間を低減させることができる。
【図面の簡単な説明】
【００２４】
【図１】本発明の第１の実施形態におけるランニングウォッチシステムの装置構成を示す概略構成図である。
【図２】同実施形態におけるランニングウォッチシステムの機能構成を示す概略ブロック図である。
【図３】同実施形態におけるランニングウォッチの本体部分の外形の概略を示す外形図である。
【図４】同実施形態のランニングウォッチにおけるモード遷移を示す説明図である。
【図５】同実施形態の時刻表示モードにおける表示部の表示例を示す説明図である。
【図６】同実施形態のクロノグラフモードにおける表示部の表示例を示す説明図である。
【図７】同実施形態における、受信部を動作させる設定か停止させる設定かの表示の例を示す説明図である。
【図８】同実施形態のリコールモードにおける表示部の表示例を示す説明図である。
【図９】同実施形態のタイマモードにおける表示部の表示例を示す説明図である。
【図１０】同実施形態のアラームモードにおける表示部の表示例を示す説明図である。
【図１１】同実施形態にて、受信部を動作させる設定となっている場合における、受信部への電力供給の停止の例を示す説明図である。
【図１２】本発明の第２の実施形態におけるランニングウォッチシステムの機能構成を示す概略ブロック図である。
【図１３】同実施形態における表示情報処理部の動作の流れの一例を説明するフローチャートである。
【発明を実施するための形態】
【００２５】
＜第１の実施形態＞
以下、図面を参照して、本発明の実施の形態について説明する。図１は、本発明の一実施形態におけるランニングウォッチシステムの装置構成を示す概略構成図である。同図において、ランニングウォッチシステム１は、チェストストラップ１００と、ランニングウォッチ２００とを具備する。
ランニングウォッチシステム１は、ランニングなどスポーツを行うユーザに対して心拍数（１分あたりの心拍数）やラップタイム等の情報を提供する。
【００２６】
チェストストラップ１００は、ユーザの胸部に装着され、ユーザの心拍を検出して心拍信号をランニングウォッチ２００に無線送信する。チェストストラップ１００は、本発明における測定装置の一例に該当する。
ランニングウォッチ２００は、心拍数やラップタイム等の情報を表示することで、これらの情報をユーザに提供する。ランニングウォッチ２００は、本発明における電子機器の一例に該当する。
【００２７】
具体的には、ランニングウォッチ２００は、チェストストラップ１００からの心拍信号を計数して心拍数を算出し、算出した心拍数を表示画面に表示する。この心拍数は、本発明における生体情報の一例に該当する。ここでいう生体情報は、生体を測定することで取得可能な情報である。チェストストラップ１００が検出する心拍も、本発明における生体情報の一例に該当する。また、チェストストラップ１００が送信する心拍信号は、本発明における生体信号の一例に該当する。
【００２８】
また、ランニングウォッチ２００は、時刻やラップタイムやスプリットタイムを表示画面に表示する。この時刻やラップタイムやスプリットタイムは、本発明における時間に関する情報の一例に該当する。ここでいう時間に関する情報は、時間を測定することで取得可能な情報である。例えば、現在時刻は、基準となる時点におけるに、当該時刻からの経過時間を加算することで取得できる。以下では、時刻とラップタイムとスプリットタイムを総称して、時間情報と表記する。
ここで、ランニングウォッチ２００は、心拍数と時間情報とを切り替えて表示する。これにより、ランニングウォッチ２００は、表示可能な情報の量が限られた表示領域を有効に用いて、ユーザの所望する情報を表示し得る。
【００２９】
但し、本発明の適用範囲は、ランニングウォッチシステムに限らない。限られた表示領域に生体情報と時間に関する情報とを表示する様々な電子機器に本発明を適用可能である。例えば、表示画面の限られた領域に心拍数と時刻等とを切り替えて表示するルームランナーに本発明を適用してもよい。
【００３０】
また、本発明における生体情報は、心拍数に限らず、呼吸数や消費エネルギーなど、様々な生体情報とし得る。
また、本発明において測定装置が電子機器に生体信号を伝達する形態は、無線通信に限らず有線通信であってもよい。また、測定装置が電子機器に内蔵されていてもよい。
【００３１】
図２は、ランニングウォッチシステム１の機能構成を示す概略ブロック図である。同図において、ランニングウォッチシステム１は、チェストストラップ１００と、ランニングウォッチ２００とを具備する。チェストストラップ１００は、センサ部１１０と、送信部１２０とを具備する。ランニングウォッチ２００は、受信部２１０と、表示情報処理部２２０と、表示制御部２３０と、表示部２４０と、操作入力部２５０と、信号取得制御部２６０とを具備する。表示情報処理部２２０は、時間測定部２２１を具備する。
【００３２】
センサ部１１０は、心拍センサを有し、ユーザの心拍を検出する毎に心拍信号を送信部１２０へ出力する。
送信部１２０は、センサ部１１０が出力した心拍信号を無線にて送信する。
【００３３】
受信部２１０は、本発明における生体信号取得部の一例に該当し、生体情報を測定する測定装置からの、生体情報の測定結果を示す生体信号を取得する。具体的には、受信部２１０は、チェストストラップ１００（送信部１２０）からの心拍信号を受信して表示情報処理部２２０へ出力する。
【００３４】
表示情報処理部２２０は、受信部２１０が受信した心拍信号に基づいて心拍数を算出する。また、表示情報処理部２２０は、時間測定部２２１にて時間情報を測定する。また、表示情報処理部２２０は、算出した心拍数や、測定した時間情報を、ユーザ操作に応じて記憶する。そして、表示情報処理部２２０は、操作入力部２５０が検出したユーザ操作に応じて、表示部２４０に表示させる情報を表示制御部２３０へ出力する。
時間測定部２２１は、クロック信号を生成する発振器を有し、クロック信号を用いて時間の測定を行うことで、時間情報を測定する。
【００３５】
操作入力部２５０は押ボタンを有し、当該押ボタンを押下するユーザ操作を検出する。
信号取得制御部２６０は、操作入力部２５０が検出するユーザ操作に基づいて、受信部２１０を動作させる設定と停止させる設定との切替を行う。信号取得制御部２６０が当該切替を行うことで、心拍数の測定を行わないときの消費電力を低減させることができる。
例えば、ユーザがレースに参加する際、チェストストラップ１００を装着せずにランニングウォッチ２００のスプリットタイム表示機能等を用いることが考えられる。かかる場合、操作入力部２５０が受信部２１０の停止設定のユーザ操作を受け付け、当該ユーザ操作に従って信号取得制御部２６０が受信部２１０を停止させることで、受信部２１０の消費電力を抑制することができる。
【００３６】
表示部２４０は表示画面を有し、表示制御部２３０の制御に従って、心拍数や時間情報など、表示情報処理部２２０が出力した情報を表示する。
表示制御部２３０は、表示部２４０を制御して各種情報を表示させる。特に、表示制御部２３０は、受信部２１０が心拍信号を受信しているか否かに基づいて、時間情報と心拍数とのいずれを表示部２４０に表示させるかの切替を行う。さらに、表示制御部２３０は、モード毎に異なる表示パターンにて表示部２４０に情報の表示を行わせ、所定のモードにおいて、時間情報と心拍数とのいずれを表示部２４０に表示させるかの切替を行う。さらに、表示制御部２３０は、受信部２１０が心拍信号を取得している場合には、心拍数を表示する複数の表示パターン間で表示部２４０の表示の切替を行う。一方、受信部２１０が心拍信号を取得していない場合、表示制御部２３０は、時間情報を表示する複数の表示パターン間で表示部２４０の表示の切替を行う。表示制御部２３０が行う表示の切替の具定例については後述する。
また、表示制御部２３０は、信号取得制御部２６０が設定する、受信部２１０を動作させる設定か停止させる設定かの表示を表示部２４０に行わせる。当該表示の具体例については後述する。
【００３７】
図３は、ランニングウォッチ２００の本体部分の外形の概略を示す外形図である。同図において、表示部２４０の表示画面と、操作入力部２５０の押ボタンとが示されている。
表示部２４０の表示画面は、表示可能な情報量が限られている。具体的には、表示部２４０は、同図に例示するように上段と下段とにそれぞれ１項目ずつの情報を表示する。そこで、表示部２４０は、表示制御部２３０の制御に従って表示項目を切り替えて情報の表示を行う。
また、操作入力部２５０は、同図に示す押ボタンの押下にて、モード切替や、モード内での表示パターンの切替や、受信部２１０の動作／停止の設定切替や、ラップタイムないしスプリットタイムの記録や、時刻合わせなどのユーザ操作を受け付ける。
【００３８】
次に、図４〜図１０を参照して、ランニングウォッチ２００のモードおよび各モードにおける表示について説明する。
図４は、ランニングウォッチ２００におけるモード遷移を示す説明図である。同図に示すように、ランニングウォッチ２００（表示情報処理部２２０）は、操作入力部２５０がモード切替のユーザ操作を検出する毎に、時刻表示モード、クロノグラフモード、リコールモード、タイマモード、アラームモードの順に遷移する。そして、アラームモードにおいて、操作入力部２５０がモード切替のユーザ操作を検出すると、ランニングウォッチ２００（表示情報処理部２２０）は時刻表示モードに戻る。
【００３９】
図５は、時刻表示モードにおける表示部２４０の表示例を示す説明図である。同図に示すように、時刻表示モードにおいて表示部２４０は、上段に現在の日付を年月日および曜日にて表示し、下段に現在時刻を表示する。
【００４０】
図６は、クロノグラフモードにおける表示部２４０の表示例を示す説明図である。ランニングウォッチ２００（表示部２４０）は、クロノグラフモードにて、ラップタイムやスプリットタイムの表示を行う。
同図に示すように、クロノグラフモードにおいて表示部２４０は、受信部２１０が心拍信号を受信しているか否かに応じて表示パターンを切り替える。また、表示部２４０は、操作入力部２５０が表示パターン切替のユーザ操作を検出する毎に表示パターンを切り替える。
【００４１】
なお、表示部２４０が表示パターンを切り替えるタイミングは、操作入力部２５０が表示パターン切替のユーザ操作を検出したタイミングに限らない。例えば、表示部２４０が、表示制御部２３０の制御に従って、一定時間毎に表示パターンを切り替えて表示を行うようにしてもよい。
【００４２】
心拍信号非受信時において表示部２４０は、現在時刻と、ラップタイムと、スプリットタイムとを切り替えて表示する。このように、表示部２４０は、上段、下段共に時間情報を表示する。ここで、上段と下段とでは下段のほうが文字が大きくユーザが見易い。そこで、表示部２４０は、スプリットタイムとラップタイムとの表示において、上段と下段とを入れ替えて表示している。例えば、表示例Ｄ１１では、表示部２４０は、上段にスプリットタイムを表示し、下段にラップタイムを表示しているのに対し、表示例Ｄ１２では、表示部２４０は、上段にラップタイムを表示し、下段にスプリットタイムを表示している。
【００４３】
一方、心拍信号受信時において表示部２４０は、上段に心拍数を表示し、下段にラップタイムと、スプリットタイムと、現在時刻とを切り替えて表示する。
このように、表示部２４０は、上段において、心拍信号受信時と非受信時とで心拍数と時間情報とを切り替えて表示する。
【００４４】
心拍信号の受信／非受信の判定は、例えば表示情報処理部２２０が行う。表示情報処理部２２０は、受信部２１０からの心拍信号の出力の有無に応じて、一定時間（例えば１分）以上心拍信号の出力が無い場合は、心拍信号非受信と判定し、それ以外の場合（すなわち、一定時間以内に心拍信号の出力があった場合）は、心拍信号受信と判定する。そして、表示情報処理部２２０は、判定結果に応じて、表示部２４０の表示を切り替える。
【００４５】
表示制御部２３０は、心拍数と時間情報との切替を行う際、例えば、下段の表示の変化しない表示パターンを選択する。例えば、上段にスプリットタイムを表示し、下段にラップタイムを表示している心拍信号非受信時の表示（表示例Ｄ１１）から心拍信号受信時の表示への切替にて、表示制御部２３０は、表示部２４０を制御して上段に心拍数を表示させ、下段には引き続きラップタイムを表示させる。
心拍数受信時の表示から心拍数非受信時の表示への切替の場合も、表示制御部２３０は、下段の表示の変化しない表示パターンを選択して表示部２４０に表示を行わせる。
【００４６】
なお、心拍信号受信時の心拍数の表示位置は、図６の例に示される上段固定に限らない。表示部２４０が、下段に心拍数を表示するようにしてもよいし、上段と下段とを切り替えて表示するようにしてもよい（すなわち、心拍数を上段に表示する表示パターンと下段に表示する表示パターンとが混在していてもよい）。あるいは、ユーザが、上段固定と、下段固定と、上段・下段切替とのいずれかを選択できるようにしてもよい。
【００４７】
表示部２４０が心拍数の表示を上段または下段のいずれかに固定することで、すなわち、表示部２４０が同じ位置に心拍数を表示することで、ユーザは、より容易に心拍数の表示を把握し得る。
一方、表示部２４０が心拍数の表示位置の上段／下段を切り替えることで、ユーザは、優先的に見たい情報に応じて表示位置を設定できる。具体的には、心拍数を優先的に見たい場合、ユーザは、心拍数を下段に表示させることで心拍数を見易くすることができる。
一方、時間情報を優先的に見たい場合、ユーザは、心拍数を上段に表示させることで、下段に表示される時間情報を見易くすることができる。
【００４８】
ここで、受信部２１０が心拍信号非受信となる場合として、受信部２１０を停止させる設定になっている場合と、受信部２１０を動作させる設定になっているが、チェストストラップ１００（送信部１２０）が心拍信号を送信していない、あるいは、送信していても受信部２１０が検出できない場合とが考えられる。そこで、受信部２１０が心拍信号非受信となっている場合、表示部２４０は、表示制御部２３０の制御に従って、受信部２１０を動作させる設定か停止させる設定かの表示を行う。
【００４９】
図７は、受信部２１０を動作させる設定か停止させる設定かの表示の例を示す説明図である。同図の表示例Ｄ１１は、図６の場合と同様、上段にスプリットタイムを表示し、下段にラップタイムを表示した表示例である。この表示例Ｄ１１は、受信部２１０を停止させる設定となっている場合の表示例である。一方、表示例Ｄ２１は、受信部２１０を動作させる設定となっている場合の表示例である。
【００５０】
表示部２４０は、表示例Ｄ２１において、白抜きのハートマークを表示することで、受信部２１０を動作させる設定となっていることを示している。一方、表示例Ｄ１１では、表示部２４０はハートマークを表示しておらず、これにより受信部２１０を停止させる設定となっていることを示している。
【００５１】
このように、表示部２４０が受信部２１０の動作／停止の設定を表示することで、ユーザは、心拍数を表示させたい場合に適切な対応を行うことができる。具体的には、受信部２１０を停止させる設定となっている場合、ユーザは、受信部２１０を動作させる設定とするユーザ操作を行う。一方、受信部２１０を動作させる設定となっているにもかかわらず、心拍数が表示されていない場合、例えばチェストストラップを正しく装着していないなどの原因が考えられる。そこで、ユーザはチェストストラップを正しく装着するなどの対策を行う。
【００５２】
なお、図７では、図６に例示した心拍信号非受信時の各表示パターンのうち、上段にスプリットタイムを表示し下段にラップタイムを表示した表示パターン（表示例Ｄ１１）についてのみ表示例を示しているが、他の表示パターンについても同様である。すなわち、表示部２４０は、図６に例示した心拍信号非受信時の表示パターンのいずれについても、白抜きのハートマークを表示するか否かで、受信部２１０の動作／停止の設定を示す。
【００５３】
図８は、リコールモードにおける表示部２４０の表示例を示す説明図である。ランニングウォッチ２００（表示部２４０）は、リコールモードにて、表示情報処理部２２０が記憶している情報の表示を行う。
同図の表示例Ｄ３１は、リコールモードにおける初期画面の表示例である。表示部２４０は、この初期画面において、上段に、測定を行った日付を年月日および曜日にて表示し、下段に、総測定時間を表示している。
【００５４】
表示部２４０が初期画面を表示している状態において、操作入力部２５０が表示切替のユーザ操作を検出すると、表示部２４０は、表示情報処理部２２０が１番目に記憶した情報を表示する。
表示例Ｄ３２は、表示情報処理部２２０が１番目に記憶した情報の表示例である。この表示例Ｄ３２において、表示部２４０は、情報保存のユーザ操作に応じて表示情報処理部２２０が１番目に記憶した情報として、上段に心拍数を表示し、下段にラップタイムを表示している。
【００５５】
表示情報処理部２２０が１番目に記憶した情報を表示部２４０が表示している状態において、操作入力部２５０が表示切替のユーザ操作を検出すると、表示部２４０は、表示情報処理部２２０が２番目に記憶した情報を表示する。
表示例Ｄ３３は、表示情報処理部２２０が２番目に記憶した情報の表示例である。この表示例Ｄ３３において、表示部２４０は、情報保存のユーザ操作に応じて表示情報処理部２２０が２番目に記憶した情報として、上段に心拍数を表示し、下段にラップタイムを表示している。
【００５６】
このように、操作入力部２５０が表示切替のユーザ操作を検出する毎に、表示部２４０は、表示情報処理部２２０が記憶した順に情報を表示する。表示情報処理部２２０が最後に記憶した情報を表示した状態で、操作入力部２５０が表示切替のユーザ操作を検出すると、表示例Ｄ３１に例示される初期画面の表示へ戻る。
【００５７】
図９は、タイマモードにおける表示部２４０の表示例を示す説明図である。時間測定部２２１は、タイマ２つ分（タイマ１およびタイマ２）のタイマ機能を有しており、表示部２４０は、上段にタイマ２の残り時間を表示し、下段にタイマ１の残り時間を表示している。
【００５８】
なお、クロノグラフモードに加えて、あるいは、クロノグラフモードに代えて、タイマモードにおいて表示部２４０が心拍数を表示するようにしてもよい。例えば、ユーザがインターバルトレーニングなど時間を決めてトレーニングを行う際、表示部２４０がタイマと心拍数とを表示することで、ユーザは、表示切替操作を行う必要無しに、心拍数を確認しながらトレーニングを行うことができる。
【００５９】
タイマモードにおける心拍数表示でも、図６を参照して説明したクロノグラフモードの場合と同様、表示制御部２３０は、心拍信号受信の有無に応じて心拍数の表示の有無を切り替える。また、図７を参照して説明したのと同様、表示部２４０が、表示制御部２３０の制御に従って、受信部２１０の動作／停止の設定を表示するようにしてもよい。
【００６０】
また、クロノグラフモードの場合と同様、タイマモードにおいても、表示部２４０が上段に心拍数を表示するようにしてもよいし、下段に心拍数を表示するようにしてもよいし、上段と下段とを切り替えて表示するようにしてもよい。例えば、表示部２４０が、上段または下段の何れか動作していないタイマの表示と切り替えて心拍数を表示するようにしてもよい。
あるいは、ユーザが、心拍数の表示位置について上段固定と、下段固定と、上段・下段切替とのいずれかを選択できるようにしてもよい。
【００６１】
図１０は、アラームモードにおける表示部２４０の表示例を示す説明図である。ランニングウォッチ２００（表示情報処理部２２０）は、アラームモードにて、アラーム時刻の設定を行う。
同図に示すように、アラームモードにおいて表示部２４０は、上段に現在時刻を表示し、下段にアラーム時刻を表示する。そして、操作入力部２５０が検出するアラーム時刻設定のユーザ操作に基づいてアラーム時刻を設定する。
【００６２】
次に、図１１を参照して、受信部２１０における消費電力の抑制について説明する。
図１１は、受信部２１０を動作させる設定となっている場合における、受信部２１０への電力供給の停止の例を示す説明図である。信号取得制御部２６０は、受信部２１０を動作させる設定となっていても心拍信号を受信していない場合、受信部２１０を一時的に停止させて受信部２１０における消費電力を抑制する。
【００６３】
図１１の例では、時刻Ｔ１１において、ランニングウォッチ２００のモードが時刻表示モードからクロノグラフモードへ遷移している。このように、クロノグラフモードへの遷移が行われると、信号取得制御部２６０は受信部２１０の動作を開始させ、所定の時間Ａ（例えば１分）の間、心拍信号を待ち受ける。受信部２１０を停止させる設定から動作させる設定への切替が行われた場合も同様である。
【００６４】
ここで、時間Ａの間に受信部２１０が心拍信号を検出した場合、信号取得制御部２６０は、受信部２１０を動作させる状態を維持する。一方、受信部２１０が心拍信号を検出しなかった場合、信号取得制御部２６０は、所定の時間Ｂ（例えば２分）の間、受信部２１０を一時的に停止させて消費電力を低減させる。
図１１の例では、受信部２１０は時間Ａの間に心拍信号を検出しておらず、時間Ｂの間、受信部２１０を停止させている。
【００６５】
時間Ｂが経過すると、信号取得制御部２６０は再び受信部２１０を動作させ、所定の時間Ｃ（例えば１分）の間、心拍信号を待ち受ける。時間Ｃの間に受信部２１０が心拍信号を検出した場合、信号取得制御部２６０は、受信部２１０を動作させる状態を維持する。
一方、受信部２１０が心拍信号を検出しなかった場合、信号取得制御部２６０は、受信部２１０を一時的に停止させ、時間Ｂが経過する毎に受信部２１０を動作させて、時間Ｃの間、心拍信号を待ち受ける処理を繰り返す。
【００６６】
図１１の例では、時刻Ｔ１２において受信部２１０が心拍信号を検出しており、以後、信号取得制御部２６０は、受信部２１０を動作させる状態を維持している。
受信部２１０を動作させている状態で、所定の時間Ｄ（例えば２分）の間、受信部２１０が心拍信号を検出しなかった場合も、信号取得制御部２６０は、受信部２１０を一時的に停止させて消費電力を低減させる。そして、信号取得制御部２６０は、時間Ｂが経過する毎に受信部２１０を動作させて、時間Ｃの間、心拍信号を待ち受ける処理を繰り返す。
【００６７】
以上のように、表示制御部２３０は、受信部２１０が心拍信号を取得しているか否かに基づいて、時間情報と心拍数とのいずれを表示部２４０に表示させるかの切替を行う。
これにより、ユーザは、心拍数を見たい場合はチェストストラップを装着して心拍信号を送信させることで、ランニングウォッチ２００（表示部２４０）に心拍数を表示させることができる。一方、心拍数を見る必要が無い場合、ユーザは、チェストストラップを装着しないことで、ランニングウォッチ２００（表示部２４０）に心拍数に代えて時間情報を表示させることができる。従って、ユーザは、時間情報の表示と心拍数の表示とを切り替えるためのユーザ操作を行う必要が無い。この点において、ランニングウォッチシステム１（ランニングウォッチ２００）では、表示切替操作を行うユーザの手間を低減させることができる。
【００６８】
また、信号取得制御部２６０は、受信部２１０を動作させる設定と停止させる設定との切替を行う。
これにより、心拍数の表示が不要の場合、信号取得制御部２６０が受信部２１０を停止させて消費電力を低減させることができる。また、受信部２１０を停止させることで、心拍数を取得していない状態となり、表示制御部２３０は、表示部２４０に心拍数に代えて時間情報を表示させる。従って、ユーザは、時間情報の表示と心拍数の表示とを切り替えるためのユーザ操作を行う必要無しに、表示部２４０に時間情報を表示させることができる。
【００６９】
また、信号取得制御部２６０は、所定のモード（クロノグラフモード）への遷移が行われると受信部２１０の生体信号取得動作を開始させる。
これにより、信号取得制御部は、ユーザのモード切替操作に応じて生体信号の取得が必要なタイミングで受信部２１０に生体信号を取得させることができ、また、生体信号の取得が不要なときは受信部２１０を停止させて消費電力を低減させることができる。
【００７０】
また、表示制御部２３０は、受信部２１０を動作させる設定か停止させる設定かの表示を表示部２４０に行わせる。
これにより、ユーザは、ランニングウォッチ２００（表示部２４０）に心拍数を表示させたい場合に、適切な対応を行うことができる。
【００７１】
また、表示制御部２３０は、受信部２１０が心拍信号を受信している場合には、心拍数を表示する複数の表示パターン間で表示部２４０の表示の切替を行う。一方、受信部２１０が心拍信号を取得していない場合、表示制御部２３０は、時間情報を表示する複数の表示パターン間で表示部２４０の表示の切替を行う。
これにより、表示制御部２３０は、ユーザが心拍数の表示を所望するか否かに応じて心拍数と時間情報との表示を切り替えた状態で、時間情報を切り替えて表示する。この点において、表示制御部２３０が、ユーザの所望する情報を、より適切に表示部２４０に表示させ得る。
【００７２】
また、表示制御部２３０は、モード毎に異なる表示パターンにて表示部２４０に情報の表示を行わせ、所定のモード（クロノグラフモード）において、時間情報と心拍数とのいずれを表示部２４０に表示させるかの切替を行う。
これにより、表示制御部２３０は、心拍数の表示が必要となり得るモード（機能）と、不要なモードとを区別することができる。この点において、表示制御部２３０は、ユーザが心拍数の表示を所望しているか否かに応じて、表示部２４０により適切な表示を行わせ得る。
【００７３】
＜第２の実施形態＞
以下、第２の実施形態について詳細に説明する。図１２は、第２の実施形態におけるランニングウォッチシステム１の機能構成を示す概略ブロック図である。同図において、第１の実施形態と共通する構成については、図２で示したものと同じ符号を用いて、説明を省略する。ランニングウォッチシステム１は、チェストストラップ１００と、ランニングウォッチ２００とを具備する。チェストストラップ１００は、センサ部１１０と、送信部１２０とを具備する。ランニングウォッチ２００は、受信部２１０と、表示情報処理部２２０ａと、表示制御部２３０ａと、表示部２４０と、操作入力部２５０と、信号取得制御部２６０とを具備する。表示情報処理部２２０ａは、内部計測部２２１ａと、受信判定部２２２とを具備する。
【００７４】
第２の実施形態におけるランニングウォッチ２００は、受信部２１０の生体信号の受信／非受信の判定を、表示情報処理部２２０が行うのに代えて、後述する受信判定部２２２が行う。なお、生体信号は、例えば、心拍信号であるが、これに限られず、脈拍の信号や、血圧を表す信号など、生体を測定することで得られる情報のうちいずれか又はそれらの組み合わせであってもよい。また、第２の実施形態におけるランニングウォッチ２００は、時間測定部２２１が時間情報を測定するのに代えて、後述する内部計測部２２１ａが、内部計測情報を測定する。内部計測情報は、ランニングウォッチ２００の内部で計測された情報や、その計測された情報に基づいて算出された情報を含む。具体的には、内部計測情報は、時刻、時間、歩数、単位時間当たりの歩数（ＳＰＭ：Ｓｔｅｐｓ  Ｐｅｒ  Ｍｉｎｕｔｅｓ）、歩行または走行時の加速度、歩行または走行した距離、歩行または走行によって消費した消費エネルギーなどの少なくとも一部を含む情報である。
【００７５】
表示情報処理部２２０ａは、内部計測部２２１ａと、受信判定部２２２とを含む。表示情報処理部２２０ａは、受信部２１０が受信した生体信号に基づいて生体情報を算出する。生体情報とは、例えば、心拍数や、脈拍数、血圧の変化量などの生体信号から算出される情報であって、それらの情報のうちのいずれか又はそれらの組み合わせである。例えば、生体信号が心拍信号だった場合、表示情報処理部２２０ａは、心拍信号の時間間隔ΔＴ
［ｓ］に基づいて、生体情報である心拍数を、以下の式より算出する。
（心拍数）＝６０／ΔＴ［ｂｐｍ］  ・・・（１）
【００７６】
また、表示情報処理部２２０ａは、内部計測部２２１ａにて、内部計測情報を計測する。また、表示情報処理部２２０ａは、後述する受信判定部２２２にて、受信部２１０が生体信号を受信したか否かを判定する。さらに、表示情報処理部２２０ａは、受信判定部２２２が生体信号を受信していると判定した場合、受信した生体信号に基づいて算出された生体情報が所定の閾値の範囲内に含まれているか否かを判定する。具体的には、生体信号が心拍信号だった場合、表示情報処理部２２０ａは、例えば、上記（１）式から算出された心拍数が、２０〜２５０［ｂｐｍ］の範囲内か否かを判定する。この判定によって、表示情報処理部２２０ａは、受信部２１０が受信する生体信号にノイズが混入した場合の異常受信状態で生体信号を測定し続けることを防止することができる。そして、表示情報処理部２２０ａは、これらの判定結果に応じて、表示部２４０に表示させる情報を表示制御部２３０ａへ出力する。また、表示情報処理部２２０ａは、算出した心拍数や、内部計測部２２１ａが測定した内部計測情報を、ユーザ操作に応じて記憶する記憶部を備える。そして、表示情報処理部２２０ａは、操作入力部２５０が検出したユーザ操作に応じて、表示部２４０に表示させる情報を表示制御部２３０ａへ出力する。
【００７７】
ここで、表示制御部２３０ａによる表示部２４０の表示の切替について、より詳細に説明する。表示制御部２３０ａは、第１の実施形態における表示制御部２３０による表示部２４０の表示の切替動作に加えて、以下の表示の切替動作を行う。表示制御部２３０ａは、表示情報処理部２２０ａに含まれる受信判定部２２２が生体信号を受信していない状態から、受信している状態になったと判定した場合、直前まで表示していた内部計測情報の表示から、生体情報の表示に切替を、直ちに行う。直ちに行うとは、タイマによる時間の経過を判定せずに行う、あるいは、極短時間に行うことを意味する。これによって、ランニングウォッチ２００は、ユーザに対して生体信号を受信したことを直ぐに知らせることができる。または、表示制御部２３０ａは、受信判定部２２２が生体信号を受信している状態であると判定し、さらに、表示情報処理部２２０ａが、生体信号から算出した生体情報が所定の閾値の範囲内に含まれていると判定した場合、直前まで表示していた各種情報の表示から、生体情報の表示に切替を、直ちに行う。
【００７８】
また、表示制御部２３０ａは、受信判定部２２２が生体信号を受信している状態から、受信していない状態になったと判定した場合、判定後、所定時間Ｔ１経過したときに、直前まで表示していた生体情報の表示から、内部計測情報の表示に切替を行う。所定時間Ｔ１は、例えば、１分程度の時間である。さらに、表示制御部２３０ａは、受信判定部２２２が、生体信号に関する情報が所定の閾値の範囲内に含まれていないと判定した場合、判定後、所定時間Ｔ１経過したとき、直前まで表示していた生体情報の表示から、内部計測情報の表示に切替を行う。これらによって、ランニングウォッチ２００は、生体情報表示を所定時間Ｔ１維持することができるので、チェストストラップ１００からの受信信号が安定しないような場合であっても、頻繁に表示が切り替わるのを防ぐことができる。なお、表示制御部２３０ａは、表示部２４０に表示する生体情報が複数存在する場合、表示部２４０の表示領域に複数の生体情報を同時に表示させてもよいし、操作入力部２５０からのユーザ操作に応じて周期的に表示させる生体情報を切り替えてもよいし、所定時間Ｔ２経過するごとに周期的に表示させる生体情報を切り替えてもよい。所定時間Ｔ２は、例えば、５秒程度の時間である。
【００７９】
内部計測部２２１ａは、本発明における内部計測部の一例に該当し、内部計測情報を計測する。具体的には、内部計測部２２１ａは、クロック信号を生成する発振器を有し、クロック信号を用いて時間の測定を行うことで、時刻情報や時間情報を計測し、内部計測情報として出力する。また、内部計測部２２１ａは、加速度センサを有し、ランニングウォッチ２００の加速度の計測し、計測した加速度に基づいて歩数を計測し、内部計測情報として出力してもよい。また、内部計測部２２１ａは、算出した歩数に基づいて、例えば、ユーザの歩いた距離、ユーザの走行した距離、ユーザの消費カロリーなどを計測し、内部計測情報として出力してもよい。
【００８０】
受信判定部２２２は、受信部２１０からの生体信号の出力の有無に応じて、一定時間（例えば１分）以上、生体信号の出力が無い場合は、生体信号非受信と判定し、それ以外の場合（すなわち、一定時間以内に単発でも生体信号の出力があった場合）は、生体信号受信と判定する。なお、受信判定部２２２は、生体信号を、一定時間内に、所定の周期で継続的に受信したか否かによって、上記の判定を行ってもよい。ここで、上述した表示情報処理部２２０ａ、及びこれに含まれる受信判定部２２２は本発明の判定部の一例に該当する。
【００８１】
図１３は、表示情報処理部２２０ａの動作の流れの一例を説明するフローチャートである。まず、表示情報処理部２２０ａに含まれる受信判定部２２２は、受信部２１０が生体信号を受信している状態であるか否かを判定する（ステップＳ１００）。受信判定部２２２は、生体信号を受信していない状態であると判定した場合（ステップＳ１００−Ｎｏ）、生体情報の算出が停止した時刻（すなわち、生体信号を受信しないと判定され始めた時刻）から、所定時間Ｔ１が経過したか否かを判定する（ステップＳ１５０）。表示情報処理部２２０ａは、受信判定部２２２が生体信号を受信している状態であると判定した場合（ステップＳ１００−Ｙｅｓ）、受信した生体信号に基づいて、生体情報を算出する（ステップＳ１１０）。次に、表示情報処理部２２０ａは、ステップＳ１１０で算出した生体情報が、所定の閾値の範囲内に含まれているか否かを判定する（ステップＳ１２０）。表示情報処理部２２０ａは、生体情報が所定の閾値の範囲内に含まれていないと判定した場合（ステップＳ１２０−Ｎｏ）、ステップＳ１５０に遷移する。表示情報処理部２２０ａは、生体情報が所定の閾値の範囲内に含まれていると判定した場合（ステップＳ１２０−Ｙｅｓ）、表示制御部２３０ａに生体情報を出力する。そして、表示制御部２３０ａは、表示部２４０の表示を生体情報に切り替えさせる（ステップＳ１３０）。
【００８２】
次に、表示情報処理部２２０ａは、ユーザから測定終了の入力があったか否かを判定する（ステップＳ１４０）。表示情報処理部２２０ａは、ユーザから測定終了の入力がなかった場合（ステップＳ１４０−Ｎｏ）、ステップＳ１００に戻る。表示情報処理部２２０ａは、ユーザから測定終了の入力があった場合（ステップＳ１４０−Ｙｅｓ）、処理を終了する。
【００８３】
ステップＳ１５０で、生体情報の算出が停止した時刻から所定時間Ｔ１が経過していないと判定された場合（ステップＳ１５０−Ｎｏ）、表示情報処理部２２０ａは、ステップＳ１００に戻る。ステップＳ１５０で、生体情報の算出が停止した時刻から所定時間Ｔ１が経過していると判定された場合（ステップＳ１５０−Ｙｅｓ）、表示情報処理部２２０ａは、内部計測情報を出力する（ステップＳ１６０）。次に、表示情報処理部２２０ａは、表示制御部２３０に内部計測情報を出力する。そして、表示制御部２３０ａは、表示部２４０の表示を内部計測情報に切り替えさせる（ステップＳ１７０）、ステップＳ１４０に遷移する。
【００８４】
このように、第２の実施形態におけるランニングウォッチ２００は、表示情報処理部２２０に含まれる受信判定部２２２がチェストストラップ１００からの生体信号の受信／非受信を判定することで、第１の実施形態におけるランニングウォッチシステム１と同様の効果が得ることができる。さらに、ランニングウォッチ２００は、表示部２４０に、内部計測情報として、時刻、時間、歩数、単位時間当たりの歩数、歩行または走行時の加速度、歩行または走行した距離、歩行または走行によって消費した消費エネルギーなどの少なくとも一部を含む情報を表示する。これによって、ランニングウォッチ２００は、時計などの小さい限られた表示領域で、ユーザに操作せることなく、複数の情報を表示することができる。
【００８５】
また、ランニングウォッチ２００は、受信判定部２２２が、生体信号を受信していない状態から、受信している状態になったと判定した場合、直ちに、直前まで表示していた内部計測情報の表示から、生体情報の表示に切替を行う。これによって、ランニングウォッチ２００は、ユーザに対して生体信号を受信したことを直ぐに知らせることができる。
【００８６】
また、ランニングウォッチ２００は、受信判定部２２２が、生体信号を受信している状態から、受信していない状態になったと判定した場合、判定後、所定時間Ｔ１経過した後、直前まで表示していた生体情報の表示から、内部計測情報の表示に切替を行う。または、ランニングウォッチ２００は、表示情報処理部２２０ａによって算出された生体情報が所定の閾値の範囲内に含まれていないと判定した場合、判定後、所定時間Ｔ１経過した後、直前まで表示していた生体情報の表示から、内部計測情報の表示に切替を行う。これらによって、ランニングウォッチ２００は、チェストストラップ１００からの受信信号が安定しないような場合であっても、頻繁に表示が切り替わるのを防ぐことができる。さらに、ランニングウォッチ２００は、生体情報が所定の閾値の範囲内に含まれているか否かを判定することで、受信した生体信号にノイズが入った場合の異常受信状態で生体信号を測定し続けることを防止することができる。
【００８７】
なお、表示情報処理部２２０と、表示情報処理部２２０ａと、表示制御部２３０と、表示制御部２３０ａと、信号取得制御部２６０との全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００８８】
以上、上述した実施形態について図面を参照して詳述してきたが、具体的な構成はこの実施形態に限られるものではなく、この発明の要旨を逸脱しない範囲の設計変更等も含まれる。
【符号の説明】
【００８９】
１  ランニングウォッチシステム  １００  チェストストラップ  １１０  センサ部  １２０  送信部  ２００  ランニングウォッチ  ２１０  受信部  ２２０、２２０ａ  表示情報処理部  ２２１  時間測定部  ２２１ａ  内部計測部  ２２２  受信判定部  ２３０、２３０ａ  表示制御部  ２４０  表示部  ２５０  操作入力部  ２６０  信号取得制御部
【図１】
2014100465.tif 000003
【図２】
2014100465.tif 000004
【図３】
2014100465.tif 000005
【図４】
2014100465.tif 000006
【図５】
2014100465.tif 000007
【図６】
2014100465.tif 000008
【図７】
2014100465.tif 000009
【図８】
2014100465.tif 000010
【図９】
2014100465.tif 000011
【図１０】
2014100465.tif 000012
【図１１】
2014100465.tif 000013
【図１２】
2014100465.tif 000014
【図１３】
2014100465.tif 000015